(57)【特許請求の範囲】
【請求項１】
容器口部に螺子固定される中蓋と、上下にスライド可能に該中蓋に取り付けられた注出用案内部材と、中蓋に取り付けられた注出用案内部材を覆うように着脱自在に設けられた上蓋とを備えた複合容器蓋において、
前記中蓋は、容器口部の外面と螺子係合する螺条を内面に有する第１の筒状壁と、第１の筒状壁よりも小径の第２の筒状壁と、第１の筒状壁の上端と第２の筒状壁の下端とを繋ぐ水平壁と、第２の筒状壁の内部に設けられた弁体とから成り、
第２の筒状壁の上方部分外面には、係合突起が形成され、
前記弁体は、少なくとも上端が閉じられた柱状体形状を有し、その上端は、第２の筒状壁の上端よりも上方に延びており、且つその下端は、適当な間隔で形成されているブリッジによって第２の筒状壁の内面或いは前記水平壁の下面に保持されており、
前記注出用案内部材は、中央部分に注出用開口を備えた天井壁と、天井壁の下面に形成された環状外側足部及び環状内側足部と、天井壁の上面に形成された注出案内用の注出筒とから成り、該環状外側足部の下端部内面にはアンダーカットが形成されており、
該天井壁の周縁又は環状外側足部の上部外面には、外方に張り出した外方張出し部が形成されており、前記環状外側足部と環状内側足部との間の空間内に、前記第２の筒状壁を嵌め込むことにより、前記注出用案内部材は、第２の筒状壁に上下にスライド可能に保持され、
第２の筒状壁にスライド可能に保持された注出用案内部材が下方位置にあるときは、前記弁体の上端によって前記注出用開口が閉じられ、該注出用案内部材が上方位置にあるときは、前記注出用開口が開放され、且つ、前記環状外側足部の下端部内面に形成されているアンダーカットと第２の筒状壁上方部分外面の係合突起との係合により、該注出用案内部材の上方への移動が規制されると共に、
前記上蓋は、頂板部と、頂板部周縁から下方に延びているスカート壁とから成り、該スカート壁の上方部分内面には、係止突起が形成されており、
該頂板部下面には、前記注出用開口よりも大きな内径を有するリング状の押え突起が形成されており、
第２の筒状壁にスライド可能に保持された注出用案内部材を覆うようにして前記上蓋を閉じた時、上方位置にある注出用案内部材は、前記上蓋により押圧されて下方位置まで降下し、前記注出筒の上端が前記上蓋の頂板部内面に当接することなく、前記リング状の押え突起が前記天井壁上面に当接し、
閉じられた上蓋を上昇させて開放する際には、下方位置にある注出用案内部材は、上蓋の係止突起と該注出用案内部材の外方張出し部との当接により上方位置まで持ち上げられ、該注出用案内部材が上方位置に到達した時点で、上蓋の係止突起が該注出用案内部材の外方張出し部を乗り越えること、
を特徴とする複合容器蓋。
【請求項２】
前記上蓋は、前記中蓋の第１の筒状壁が螺子係合する容器口部外面よりも大きな外径を有する容器首部外面との螺子係合により保持される請求項１に記載の複合容器蓋。
【請求項３】
第１の筒状壁の内部には、容器口部内面と密接する胴部と、該胴部の上端から外方に延びているフランジ部と、容器口部を閉じる底部とから成る中栓が挿入されている請求項１又は２に記載の複合容器蓋。
【発明の詳細な説明】
【０００１】
【発明の属する技術分野】
本発明は、注出用案内部材（チップ）を上下にスライドさせることにより、注出用開口を開放し或いは閉じるプッシュプルタイプの複合容器蓋に関するものであり、より詳細には、ドレッシングのような液が収容された容器の蓋として特に有用な複合容器蓋に関する。
【０００２】
【従来の技術】
プッシュプルタイプの複合容器蓋は、ワンタッチで注出用開口の開放及び閉塞を行うことができるため、種々の液体収容容器の容器蓋として使用されている。
例えば、特開２０００−８５８１１号公報の図４には、容器口部に螺子締結された中蓋２０と、中蓋２０の上部壁に上下にスライド可能装着されたチップ（注出用案内部材）３１とを備えた複合容器蓋が開示されている。この先行技術においては、中蓋２０は、中空の筒状形状を有しており、その上部内空間には、内容液の注出用通路を閉じないようにして栓体（弁体）２６が設けられており、チップ３１は注出用開口３３を備えている。即ち、チップ３１が下方位置にあるときは、栓体２６によってチップ３１の注出用開口３３が閉じられているが、チップ３１を手で持って上方に引っ張り上げることにより、注出用開口３３が開放され、この状態で内容液の注ぎ出しが行われ、注ぎ出し後は、再び、チップ３１を手で下方に押し下げることにより、栓体２６によって注出用開口３３が閉じられるというものである。
【０００３】
【発明が解決しようとする課題】
しかしながら、上述した従来公知のプッシュプルタイプの複合容器蓋は、注出用開口を開放し或いは閉じるために、注出用案内部材（チップ）を手で引っ張り上げたり或いは押し下げたりしなければならないという問題がある。例えばドレッシングのような液が収容された容器に用いた場合、注出用開口の開放及び閉塞に際して、液が付着した注出用案内部材を手で触れなければならず、極めて非衛生的である。
【０００４】
従って、本発明の目的は、注出用開口を有する注出用案内部材を手で全く触れることなく、該注出用案内部材を上下にスライドさせて注出用開口の開放及び閉塞を行うことが可能なプッシュプルタイプの複合容器蓋を提供することにある。
【０００５】
【課題を解決するための手段】
本発明によれば、容器口部に螺子固定される中蓋と、上下にスライド可能に該中蓋に取り付けられた注出用案内部材と、中蓋に取り付けられた注出用案内部材を覆うように着脱自在に設けられた上蓋とを備えた複合容器蓋において、
前記中蓋は、容器口部の外面と螺子係合する螺条を内面に有する第１の筒状壁と、第１の筒状壁よりも小径の第２の筒状壁と、第１の筒状壁の上端と第２の筒状壁の下端とを繋ぐ水平壁と、第２の筒状壁の内部に設けられた弁体とから成り、
第２の筒状壁の上方部分外面には、係合突起が形成され、
前記弁体は、少なくとも上端が閉じられた柱状体形状を有し、その上端は、第２の筒状壁の上端よりも上方に延びており、且つその下端は、適当な間隔で形成されているブリッジによって第２の筒状壁の内面或いは前記水平壁の下面に保持されており、
前記注出用案内部材は、中央部分に注出用開口を備えた天井壁と、天井壁の下面に形成された環状外側足部及び環状内側足部と、天井壁の上面に形成された注出案内用の注出筒とから成り、該環状外側足部の下端部内面にはアンダーカットが形成されており、該天井壁の周縁又は環状外側足部の上部外面には、外方に張り出した外方張出し部が形成されており、
前記環状外側足部と環状内側足部との間の空間内に、前記第２の筒状壁を嵌め込むことにより、前記注出用案内部材は、第２の筒状壁に上下にスライド可能に保持され、
第２の筒状壁にスライド可能に保持された注出用案内部材が下方位置にあるときは、前記弁体の上端によって前記注出用開口が閉じられ、該注出用案内部材が上方位置にあるときは、前記注出用開口が開放され、且つ、前記環状外側足部の下端部内面に形成されているアンダーカットと第２の筒状壁上方部分外面の係合突起との係合により、該注出用案内部材の上方への移動が規制されると共に、
前記上蓋は、頂板部と、頂板部周縁から下方に延びているスカート壁とから成り、該スカート壁の上方部分内面には、係止突起が形成されており、
該頂板部下面には、前記注出用開口よりも大きな内径を有するリング状の押え突起が形成されており、
第２の筒状壁にスライド可能に保持された注出用案内部材を覆うようにして前記上蓋を閉じた時、上方位置にある注出用案内部材は、前記上蓋により押圧されて下方位置まで降下し、前記注出筒の上端が前記上蓋の頂板部内面に当接することなく、前記リング状の押え突起が前記天井壁上面に当接し、
閉じられた上蓋を上昇させて開放する際には、下方位置にある注出用案内部材は、上蓋の係止突起と該注出用案内部材の外方張出し部との当接により上方位置まで持ち上げられ、該注出用案内部材が上方位置に到達した時点で、上蓋の係止突起が該注出用案内部材の外方張出し部を乗り越えること、
を特徴とする複合容器蓋が提供される。
【０００６】
本発明の複合容器蓋によれば、注出用案内部材に注出筒が設けられているため、この注出筒によって、内容液の注出を円滑に行うことができ、また、注ぎ出された液が注出用案内部材の外面に垂れ落ちることを有効に防止することができる。
更には、上蓋の脱着及び装着により、注出用案内部材の上方へのスライド及び下方への降下が行われ、このような注出用案内部材の上下へのスライドに伴って、注出用案内部材に設けられている注出用開口の開放及び閉塞が行われる。従って、容器に収容されている液の注ぎ出し作業を、液が付着する注出用案内部材に手で触れることなく行うことができ、ドレッシングのような液が収容された容器に用いた場合にも、極めて衛生的である。
本発明において、注出用案内部材の上下へのスライドを行う上蓋は、通常、容器外面との螺子係合により装着されることが好適である。
【０００７】
【発明の実施形態】
本発明を、以下、添付図面に示す具体例に基づいて詳細に説明する。
図１は、本発明の複合容器蓋の未使用状態での側断面図を示し、
図２は、中栓が取り外された状態にある図１の複合容器蓋において、上蓋を上昇させて注出用案内部材を上方位置にスライドさせたときの状態を示す側断面図であり、
図３は、図２の複合容器蓋から上蓋を取り外した状態を示す図であり、
図４は、図１の複合容器蓋に設けられている中蓋の概略平面断面を示す図である。
【０００８】
図１乃至３において、本発明のプッシュプルタイプの複合容器蓋は、容器口部５０の上部に螺子固定された合成樹脂製の中蓋１と、該中蓋１に上下にスライド可能に取り付けられている合成樹脂製の注出用案内部材２と、注出用案内部材２を覆うように着脱自在に装着されている合成樹脂製の上蓋３とから成っている。
このような中蓋１、注出用案内部材２及び上蓋３を構成する合成樹脂は、それ自体公知であり、例えば、ポリエチレン、アイソタクティクポリプロピレン、エチレン−ポリプロピレン共重合体、ポリブテン−１、エチレン−ブテン−１共重合体、プロピレン−ブテン−１共重合体、エチレン−酢酸ビニル共重合体等のオレフィン系樹脂や、ポリスチレン、スチレン−ブタジエン共重合体、ＡＢＳ樹脂或いはポリカーボネート等を例示することができる。
【０００９】
上記の複合容器蓋が装着される容器の口部５０は、図１に示されている様に、上端に位置する小径の中蓋保持部５１と、中蓋保持部５１の下端に連なる大径の上蓋保持部５２とから成っており、中蓋保持部５１の外面には、螺条５１ａが形成され、上蓋保持部５２の外面には、螺条５２ａが形成されている。
【００１０】
中蓋１は、第１の筒状壁５と、第１の筒状壁５の上方に位置する第２の筒状壁６とを備えており、第１の筒状壁５は、第２の筒状壁６よりも大径であり、第１の筒状壁５の上端は、水平壁７により第２の筒状壁６の下端に連なっている。
【００１１】
第１の筒状壁５の内面には、螺条５ａが形成されている。この螺条５ａが、容器口部５０の上端に位置する中蓋保持部５１の外面に形成されている螺条５１ａと螺子係合することにより、中蓋１が容器口部５０に着脱自在に螺子固定される。
尚、第１の筒状壁５の外面には、中蓋１の旋回を容易に行うためのローレット５ｂが形成されている。
また、第１の筒状壁５の内面の上端部近傍には、水平壁７と小間隔を置いて、小突起５ｃが形成されている。
【００１２】
また、本発明の複合容器蓋においては、通常、未使用状態、即ち、店頭で販売に供されているような状態では、図１に示す様に、容器口部５０の上端（中蓋保持部５１）に中栓１０が嵌め込まれており、この中栓１０は、上記の中蓋１によってしっかりと保持され、これにより、十分にシール性が確保されている。
即ち、中栓１０は、全体としてカップ形状を有するものであり、底部１０ａと、外方に若干膨らんだ胴部１０ｂと、胴部の上端から外側に張り出したフランジ部１０ｃとから形成されており、また、中栓１０の内部には、摘み用のタブ１０ｄが形成されている。容器口部５０の内部に嵌め込まれた中栓１０の底部１０ａにより容器口部５０は完全に閉じられ、また、その胴部１０ｂの外面と容器口部５０の内壁面とが密着することによりシール性が確保される。この場合、中栓１０のフランジ部１０ｃが、容器口部５０（中蓋保持部５１）の上端面と、中蓋１の水平壁７の下面との間に挟持され、これにより、中栓１０はしっかりと保持される。
尚、中栓１０のフランジ部１０ｃの外周縁は、薄肉部となって外方に張り出しており、第１の筒状壁５の内面に形成されている小突起５ｃに保持された状態で、容器口部５０に中蓋１と一体となって装着される。中蓋１の第１の筒状壁５を旋回して中蓋１を容器口部５０から取り外す際には、第１の筒状壁５の内面に形成されている小突起５ｃがフランジ部１０ｃの外周縁の薄肉部を乗り越え、中栓１０が容器口部５０に嵌め込まれたまま、中蓋１のみが容器口部５０から取り除かれる。容器口部５０に残った中栓１０は、タブ１０ｄを持って引っ張り上げることにより、容器口部５０から取り除かれる。
尚、中蓋１の水平壁７の下面には、中栓１０のフランジ部１０ｃの上面をしっかりと押えつけるために、小突起を形成しておくのがよい。
【００１３】
第１の筒状壁５よりも小径の第２の筒状壁６には、後述するように、注出用案内部材２が上下にスライド可能に保持される。このために、第２の筒状壁６の上端近傍には、その外面に、注出用案内部材２の第２の筒状壁６からの離脱を防止するための係合突起１３が設けられている。
また、第２の筒状壁６の内部には、弁体１５が設けられている。
図１等から明らかな通り、この弁体１５は、上端が閉じられた柱状体形状を有しており、その上端部は、第２の筒状壁６の上端部よりも若干上方に突出している。
更に、弁体１５の下端部は、図４の平面断面図に示されている様に、周方向に互いに間隔を置いて位置する複数のブリッジ１７（図４では、４個）により、筒状壁６の内面に固定されている。即ち、ブリッジ１７の間隙が、内容液の注出路となる。
【００１４】
注出用案内部材２は、内容液を注ぎ出す際の液の案内として機能するものである。
この注出用案内部材２は、板状の天井壁２０を備えており、天井壁２０の中央部分には、特に図２及び図３に明瞭に示されているように、注出用開口２１が設けられており、天井壁２０の上面には、液案内用の注出筒２２が形成されている。また、天井壁２０の外周縁には、外方に張出した外方張出し部２３が形成されている。
注出筒２２は、先端が外方に広がった形状を有しており、且つ注出筒２２の内面は、先端部分の内径が下端部分の内径よりも若干大きくなるようなテーパー面となっている。また、注出筒２２により囲まれている天井壁２０の上面は、中心部分が低く且つ周縁部分が高くなるようなテーパー面となっている。天井壁２０及び液案内用の注出筒２２が、このような形状を有していることにより、注出用開口２１を介して容器内から排出される液は、液垂れ等を生じることなくスムーズに注ぎ出され、また、天井壁２０の上面及び注出筒２２の内面に付着した液は、スムーズに注出用開口２１を介して、容器内に回収される。
【００１５】
また、天井壁２０の下面には、環状の外側足部２５と、環状の内側足部２６とが形成されており、環状の外側足部２５の下端内面には、アンダーカット２５ａが設けられている。
即ち、上述した液注出用案内部材２は、中蓋１の第２の筒状壁６を、外側足部２５と内側足部２６との間の空間に嵌め込むことにより、上下にスライド可能に保持されるものであり、外側足部２５の下端のアンダーカット２５ａが第２の筒状壁６の上部係合突起１３と係合することにより、液注出用案内部材２が中蓋１から離脱しないようになっている。
特に図１及び図２とを比較することにより理解されるように、液注出用案内部材２が下方位置にあるときは、弁体１５の上端によって注出用開口２１が閉じられており、液注出用案内部材２が上方位置にあるときは、注出用開口２１は開放され、従って、液注出用案内部材２を上下にスライドさせることにより、注出用開口２１の開け閉めが行われる。
【００１６】
本発明の複合容器蓋では、注出用開口２１の開け閉めのための液注出用案内部材２の上下スライドが、上蓋３を利用して行われる。
このような上蓋３は、図１及び図３に示されているように、頂板部３０と、頂板部３０の周縁から下方に延びているスカート壁３１とから成っており、スカート壁３１の下方部分の内面には、螺条３１ａが形成されている。即ち、この螺条３１ａが、容器口部５０の上蓋保持部５２の外面に形成されている螺条５２ａと螺子係合することにより、上蓋３は、注出用案内部材２を覆うように装着されるものである。また、図示されていないが、スカート壁３１の外面には、通常、ローレットが形成されている。
【００１７】
本発明においては、上記上蓋３の脱着及び装着にしたがって、前述した注出用案内部材２の上下スライド、即ち、注出用開口２１の開け閉めを行うために、スカート壁３１の上方部分内面には、係止突起３３が設けられている。
即ち、上蓋３を回転させて脱着する（開栓する）ときには、係止突起３３は、注出用案内部材２の天井壁２０の外周縁に形成されている外方張出し部２３の下側に位置し、上蓋３の上昇に伴って注出用案内部材２は、上方位置まで持ち上げられる。注出用案内部材２が上方位置に到達すると、アンダーカット２５ａと係合突起１３との係合により、注出用案内部材２の上昇が制限されるため、係止突起３３は、注出用案内部材２の天井壁２０の外周縁に形成されている外方張出し部２３を乗り越え、この結果、上蓋３は、取り外される。
上述した実施例の複合容器蓋においては、上蓋３と容器口部５０とが螺条により係合しているため、上蓋３の取り外しと注出用案内部材２の上方への移動を、上蓋３の開栓方向への旋回によって極めて容易に行うことができる。
【００１８】
一方、上蓋３を注出用案内部材２に被せて旋回して容器口部５０に装着する（閉栓する）時には、係止突起３３は、注出用案内部材２の天井壁２０の外周縁に形成されている外方張出し部２３の上側に位置し、上蓋３の降下に伴って注出用案内部材２は、下方位置まで押し下げられる。注出用案内部材２が下方位置に到達すると、外側足部２５が水平壁７の上面に当接し、その降下が制限されるため、係止突起３３は、外方張出し部２３を乗り越えて、その下側に位置する。このようにして、上蓋３は、容器口部５０の上蓋保持部５２の外面にしっかりと螺子固定される。
【００１９】
上記の様に、上蓋３を脱着及び装着することにより、注出用案内部材２が上昇及び降下し、これにしたがって、注出用開口２１の開放及び閉塞が行われる。
この場合において、上蓋３の頂板部３０の内面には、注出用開口２１よりも内径の大きなリング状の押え突起３５を設けることが望ましい。このリング状押え突起３５は、注出用案内部材２に設けられている液案内用の注出筒２２よりも若干長く形成されており、このような押え突起３５を設けることにより、液案内用の注出筒２２と頂板部３０の内面との当接を防止することができ、液案内用の注出筒２２が頂板部３０の内面に押圧させることにより生じる注出筒２２の破損や変形を有効に回避することができる。
また、閉栓の際には、係止突起３３と共に或いは係止突起３３の代わりに、この押え突起３５が天井壁２０の外面に当接して、注出用開口２１が閉じられる状態にまで注出用案内部材を押し下げることができる。
【００２０】
上述した本発明の複合容器蓋において、上蓋３の脱着及び装着による注出用開口２１の開け閉め、即ち、容器内容液の注ぎ出し作業は、以下の様にして行われる。
【００２１】
先ず、未使用状態、例えば、一般の需要者がドレッシング等の液が収容された容器を購入した時点（店頭で販売されている時点）では、図１に示されているように、容器口部５０には、中栓１０が嵌め込まれている状態で、注出用案内部材２が取り付けられた中蓋１及び上蓋３が、それぞれ、螺子固定されている。
この状態において、上蓋３を旋回して上昇させることにより（螺子係合の解除）、容器口部５０（上蓋保持部５２）から上蓋３を取り外す。この時の注出用案内部材２の挙動は、後記する内容液の注ぎ出し作業時における上蓋３の開放時と全く同様であるので、その説明は省略する。
上蓋３を取り外した後、更に中蓋１を旋回して上昇させることにより（螺子係合の解除）、容器口部５０（中蓋保持部５１）から、注出用案内部材２が取り付けられた中蓋１を取り外す。
中蓋１を取り外した後、既に述べた通り、中栓１０のタブ１０ｄを手で持って引っ張り上げることにより、中栓１０を容器口部５０から取り外す。
中栓１０を取り外した後は、注出用案内部材２が取り付けられた中蓋１を、再び、容器口部５０（中蓋保持部５１）に螺子固定し、更に、この上から上蓋３を被せ、上蓋３を容器口部５０（上蓋保持部５２）に螺子固定する。上蓋３の螺子固定に際しての注出用案内部材２の挙動は、後記する内容液の注ぎ出し作業時における上蓋３の閉栓時と全く同様であるので、その説明は省略する。
【００２２】
上記のようにして中栓１０が取り除かれた後に、容器口部５０に注出用案内部材２を備えた中蓋１及び上蓋３を装着した状態は、中栓１０が取り除かれ、中蓋１の水平壁７が直接容器口部５０の上端面に当接している点を除けば、実質上、図１に示す状態と全く同一であり、注出用案内部材２の注出用開口２１は、弁体１５の上端によって完全に閉じられている。
従って、例えば、ドレッシング等の液では、注ぎ出しに先立って、容器を振盪し、液を均一な状態とすることができ、この際に、上蓋３の内面が汚れることはない。
【００２３】
液の注ぎ出しに際しては、上蓋３を旋回させ、上蓋３の螺条３０ａと上蓋保持部５２の螺条５２ａとの螺子係合を解除していくことにより、上蓋３を上昇せしめる。
図２に示されている様に、上蓋３の上昇にしたがって、上蓋３の係止突起３３が天井壁２０の外周縁に形成されている外方張出し部２３の下側に当接して持ち上げるため、注出用案内部材２は、上方にスライドする。これにより、弁体１５の上端によって閉じられていた注出用開口２１は、開放される。
引き続き上蓋３を旋回して上昇させていくと、注出用案内部材２は上方位置に到達し、アンダーカット２５ａと係合突起１３との係合により、注出用案内部材２の上昇が制限される。この状態において、上蓋３を更に上昇させることにより、上蓋３の係止突起３３は、注出用案内部材２の天井壁２０の外周縁に形成されている外方張出し部２３を乗り越え、上蓋３は、完全に取り外され、図３に示す状態となる。
【００２４】
上蓋３が取り外され、注出用案内部材２が上方位置にある図３の状態では、容器内空間は、弁体１５を保持しているブリッジ１７の間隙及び注出用開口２１を介して外部と連通しており、容器を傾けることにより、図３の矢線に示す流路に沿って、液の注ぎ出しが行われる。
注ぎ出し終了後は、容器を直立させることにより、注出用案内部材２の天井壁２０の上面に付着残存している液は、注出用開口２１を介して、容器内部に回収される。
【００２５】
この状態で上蓋３を閉じることにより、注出用案内部材２を下方位置に降下させて注出用開口２１を閉じることができる。
即ち、上蓋３を注出用案内部材２の上から被せ、上蓋３を閉栓方向に旋回させて降下させると、注出用案内部材２の外方張出し部２３が、上蓋３の係止突起３３により押圧されるため、注出用案内部材２は下方に降下する。この場合、周状係止突起３３が外方張出し部２３を乗り越えて、その下側に位置した場合には、上蓋３のリング状の押え突起３５が天井壁２０の上面に当接するため、液案内用の注出筒２２の上端が上蓋３の頂板部内面に当接することなく、注出用案内部材２の降下が行われる。このようにして、上蓋３を閉じることにより、注出用案内部材２は下方位置まで降下し、その注出用開口２１は弁体１５の上端によって閉じられ、シール性が確保される。
再び内容液の注出を行うときには、上述した作業を繰り返せばよい。
【００２６】
上述した本発明の複合容器蓋においては、注出用案内部材２の天井壁２０の外周縁に形成されている外方張出し部２３は、その下面は、ストレートな平面形状であり、且つ上面が湾曲した曲率面となっていることが好ましい。即ち、外方張出し部２３をこのような形状とすることにより、係止突起３３と外方張出し部２３の下面との当接による注出用案内部材２の上昇をスムーズに行うことができ、また、注出用案内部材２を下方に押し下げる際には、係止突起３３がスムーズに外方張出し部２３の下側に廻りこみ、押え突起３５により注出用案内部材２をスムーズに押し下げることができる。
【００２７】
本発明は、図１等の具体例に限定されるものではなく、種々の設計変更が可能である。
例えば、上述した例では、上蓋３は容器口部５０との螺子係合により係止されているが、この上蓋３を中蓋１に係止させることも可能である。
また、弁体１５は、ブリッジ１７によって第２の筒状壁６の内面に保持されているが、ブリッジ１７を水平壁７の下面から延ばして弁体１５を保持させることもできる。
更に、外方張出し部２３は、天井壁２０の外周縁に形成されているが、これを環状の外側足部２５の上部外面に形成することも可能である。
更には、上蓋３のスカート壁３１の下端に、フラップ片等の容器の顎部等と係合する係合部材を備えたタンパーエビデントバンドを設けることにより、不正使用防止機能を持たせることができる。
【００２８】
【発明の効果】
本発明のプッシュプルタイプの複合容器蓋においては、内容液が付着する注出用案内部材２に手で触れることなく、注出用開口２１の開け閉めによる注出作業を行うことができるため、極めて衛生的である。また、注出用開口２１を備えた天井壁２０の上面に注出筒２０が設けられているため、内容液の注ぎ出しを円滑に行うことができ、更には、内容液の注ぎ出しに際しての液垂れを有効に防止することができる。
本発明の複合容器蓋は、例えばドレッシングのような液が収容された容器の蓋として、極めて有用である。
【図面の簡単な説明】
【図１】本発明の複合容器蓋の未使用状態での側断面図。
【図２】中栓が取り外された状態にある図１の複合容器蓋において、上蓋を上昇させて注出用案内部材を上方位置にスライドさせたときの状態を示す側断面図。
【図３】図２の複合容器蓋から上蓋を取り外した状態を示す図。
【図４】図１の複合容器蓋に設けられている中蓋の概略平面断面を示す図。
【符号の説明】
１：中蓋
２：注出用案内部材
３：上蓋
５：第１の筒状壁
６：第２の筒状壁
７：水平壁
１０：中栓
１５：弁体
１７：ブリッジ
２１：注出用開口
２２：液案内用の注出筒
２３：外方張出し部
２５：外側足部
２６：内側足部
２７：アンダーカット
【図１】
0004652591.tif 000002
【図２】
0004652591.tif 000003
【図３】
0004652591.tif 000004
【図４】
0004652591.tif 000005